(57)【要約】【課題】チェーンの内部に潤滑油を十分に浸透させるためにかかる時間を短縮することができるチェーン自動給油装置を提供する。【解決手段】内部に潤滑油が溜められる油槽１と、無端状のチェーン２が連続的に巻き掛けられる複数個の滑車３と、チェーン２に巻き掛けられる回転可能な駆動滑車６と、この駆動滑車６に接続され、駆動滑車６を回転させる駆動装置７とを備え、駆動装置７の作動により、駆動滑車６が回転して、チェーン２が油槽１に溜められた潤滑油８の中を通って循環移動する。【選択図】図１
2009012887.tif 000002
【特許請求の範囲】
【請求項１】
油槽と、
無端状のチェーンが連続的に巻き掛けられる複数個の滑車と、
前記チェーンを循環移動させる駆動手段とを備え、
前記駆動手段によって、前記チェーンが前記油槽に溜められた潤滑油の中を通って循環移動することを特徴とするチェーン自動給油装置。
【請求項２】
毛部が前記チェーンと接触するブラシを備えたことを特徴とする請求項１に記載のチェーン自動給油装置。
【請求項３】
前記ブラシは、前記油槽内に設けられていることを特徴とする請求項２に記載のチェーン自動給油装置。
【請求項４】
前記滑車は、３個以上設けられており、前記チェーンの進行方向に沿って千鳥状に配置されていることを特徴とする請求項１ないし請求項３の何れか１項に記載のチェーン自動給油装置。
【請求項５】
前記滑車は、前記油槽内に設けられていることを特徴とする請求項１ないし請求項４の何れか１項に記載のチェーン自動給油装置。
【請求項６】
前記チェーンは、エスカレータの手摺駆動に用いられることを特徴とする請求項１ないし請求項５の何れか１項に記載のチェーン自動給油装置。
【発明の詳細な説明】
【技術分野】
【０００１】
この発明は、チェーンに潤滑油を給油するチェーン自動給油装置に関する。
【背景技術】
【０００２】
従来、循環移動する既設のチェーンに対向して設けられ、循環移動中のチェーンに潤滑油を吹き付ける噴射手段を備えたチェーン自動給油装置が知られている（例えば、特許文献１参照）。
このものでは、最初に内部に潤滑油を浸透させたチェーンを滑車に巻き掛けて循環移動させると、チェーンの内部に浸透した潤滑油が徐々に減少するので、この減少した潤滑油を補うために、噴射手段がチェーンに潤滑油を吹き付ける。
【０００３】
【特許文献１】特開平１１−２２２３１０号公報
【発明の開示】
【発明が解決しようとする課題】
【０００４】
しかしながら、このものの場合、最初にチェーンの内部に潤滑油を浸透させるためには、潤滑油が溜められた油槽の中にチェーンを浸しておかなければならず、チェーンの内部に潤滑油を十分に浸透させるためには長い時間がかかってしまうという問題点があった。
【０００５】
この発明は、上述のような問題点を解決することを課題とするものであって、その目的は、チェーンの内部に潤滑油を十分に浸透させるためにかかる時間を短縮することができるチェーン自動給油装置を提供するものである。
【課題を解決するための手段】
【０００６】
この発明に係るチェーン自動給油装置は、油槽と、無端状のチェーンが連続的に巻き掛けられる複数個の滑車と、前記チェーンを循環移動させる駆動手段とを備え、前記駆動手段によって、前記チェーンが前記油槽に溜められた潤滑油の中を通って循環移動する。
【発明の効果】
【０００７】
この発明に係るチェーン自動給油装置によれば、チェーンの内部に潤滑油を十分に浸透させるためにかかる時間を短縮することができる。
【発明を実施するための最良の形態】
【０００８】
実施の形態１．
図１は実施の形態１に係るチェーン自動給油装置の全体図である。
実施の形態１に係るチェーン自動給油装置は、潤滑油８が内部に溜められる油槽１と、油槽１の内部に回転自在に設けられ、無端状のチェーン２が連続的に巻き掛けられる４個の滑車３と、油槽１の外部に設けられ、滑車３に巻き掛けられたチェーン２を循環移動させる駆動手段４と、油槽１の内部に設けられ、チェーン２に接触する一対のブラシ５とを備えている。
【０００９】
駆動手段４は、油槽１に回転可能に設けられ、チェーン２が巻き掛けられる駆動滑車６と、この駆動滑車６に接続され、作動することで駆動滑車６を回転させる駆動装置７とを有している。
なお、駆動手段４は、油槽１の内部に設けられてもよい。
ブラシ５のそれぞれは、互いに対向し、チェーン２を両側から挟むようにして、チェーン２に接触する毛部５ａを有している。
滑車３は、チェーン２の進行方向に沿って、千鳥状に配置されており、この滑車３を通過するチェーン２は、図示しないピンおよびブッシュを中心に回動する。
チェーン２は、エスカレータの手摺駆動に用いられるものである。
【００１０】
次に、実施の形態１に係るチェーン自動給油装置を用いて、チェーン２の内部に潤滑油８を浸透させる手順について説明する。
まず、油槽１の内部に潤滑油８を溜め、チェーン２を滑車３および駆動滑車６に巻き掛ける。
次に、駆動装置７を作動させて、駆動滑車６を回転させる。
駆動滑車６が回転すると、チェーン２が循環移動を開始し、チェーン２が油槽１に溜められた潤滑油８を通過する。
このとき、チェーン２には負荷がかかっていないので、チェーン２のピンとブッシュとの間には隙間が発生し、潤滑油８の中では、この隙間に潤滑油８が浸透する。
【００１１】
次に、チェーン２がブラシ５の毛部５ａの間に接触して通過すると、ブラシ５の毛部５ａにより、製造時にチェーン２に付着した防錆材等が取り除かれるとともに、チェーン２の内部に潤滑油８が浸透する。
このとき、ブラシ５の毛部５ａがチェーン２と接触することで振動し、この振動により潤滑油８にランダムな流れが発生する。この潤滑油８のランダムな流れにより、チェーン２の内部の微細な隙間にも潤滑油８が浸透する。
【００１２】
次に、チェーン２が滑車３を通過すると、滑車３は千鳥状に配置されているので、チェーン２がピンおよびブッシュを中心に回動する。
これにより、チェーン２の可動範囲内の屈曲動作が行われ、チェーン２の内部に潤滑油８がさらに浸透する。
【００１３】
以上説明したように、実施の形態１に係るチェーン自動給油装置によると、チェーン２に負荷をかけずにチェーン２を潤滑油８の中を通って循環移動させるので、チェーン２の内部に潤滑油８が浸透しやすくなり、チェーン２の内部に潤滑油８を十分に浸透させるためにかかる時間を短縮することができる。
【００１４】
また、ブラシ５の毛部５ａがチェーン２と接触するので、チェーン２の表面の異物を除去することができる。
【００１５】
また、ブラシ５の毛部５ａにより、潤滑油８にランダムな流れが発生するので、チェーン２の内部の微細な隙間にも、潤滑油８を浸透させることができる。
【００１６】
また、滑車３が千鳥状に配置されているので、この滑車３を通過するチェーン２がピンおよびブッシュを中心に回動して、チェーン２の内部に潤滑油８をさらに浸透させることができる。
【００１７】
また、滑車３が油槽１の内部に設けられているので、滑車３を通過するチェーン２の内部に潤滑油８をさらに浸透させることができる。
【００１８】
なお、上記実施の形態１では、滑車３が油槽１の内部に設けられたチェーン自動給油装置について説明したが、勿論このものに限らず、滑車３が油槽１の外部に設けられたチェーン自動給油装置であってもよい。
【００１９】
また、上記実施の形態１では、４個の滑車３を備えたチェーン自動給油装置について説明したが、勿論この数に限らず、３個以上であればよい。
【００２０】
また、上記実施の形態１では、ブラシ５が油槽１の内部に設けられたチェーン自動給油装置について説明したが、勿論このものに限らず、ブラシ５が油槽１の外部に設けられたチェーン自動給油装置であってもよい。
【００２１】
また、上記実施の形態１では、エスカレータの手摺駆動に用いられるチェーン２として説明したが、勿論このものに限らず、その他に用いられるチェーンであってもよい。
【図面の簡単な説明】
【００２２】
【図１】実施の形態１に係るチェーン自動給油装置の全体図である。
【符号の説明】
【００２３】
１  油槽、２  チェーン、３  滑車、４  駆動手段、５  ブラシ、５ａ  毛部、６  駆動滑車、７  駆動装置、８  潤滑油。
【図１】
2009012887.tif 000003